(57)【特許請求の範囲】
【請求項１】
直線状に動作して被加工材に対する止具の打込み作業を行う打込み部材と、多数の止具を収容するとともに、当該止具を前記打込み部材の動作線上へ１本ずつ供給するマガジンと、を有する打込み工具であって、
前記打込み工具の作動を許容する作動位置と、作動を規制する規制位置との間で切替え可能とされるとともに、常時に作動位置側から規制位置側へと付勢された打込み工具作動制御部材と、
前記打込み工具作動制御部材に係合可能に構成され、前記打込み工具作動制御部材に係合して当該打込み工具作動制御部材を作動位置に保持する保持位置と、前記係合を解除して当該打込み工具作動制御部材の保持を解放する保持解放位置との間で切替え可能とされた保持部材と、
前記打込み工具作動制御部材を前記規制位置から作動位置へと復帰させるべく動作可能なカム部材と、を有し、
前記保持部材は、前記マガジンにおける前記止具の残数に応じて前記保持位置から保持解放位置へと切替えられ、当該保持部材の前記保持解放位置への切替えに伴い前記打込み工具作動制御部材が前記作動位置から規制位置へと切替えられ、前記カム部材が動作することで前記打込み工具作動制御部材が作動位置に復帰される構成としたことを特徴とする打込み工具。
【請求項２】
請求項１に記載の打込み工具であって、
前記カム部材は、前記マガジンに対する止具の補充動作に連動して動作されることを特徴とする打込み工具。
【発明の詳細な説明】
【技術分野】
【０００１】
本発明は、釘等の止具の空打ち防止機構を備えた打込み工具に関する。
【背景技術】
【０００２】
空打ち防止機構を備えた打込み工具は、例えば特開２０１０−５７１４号公報（特許文献１）に記載されている。特許文献１に記載の打込み工具は、打込み部材であるドライバの動作線上に止具としての釘を供給するマガジンに止具の残数を検出する残数検出スイッチを設け、止具の残数が所定本数以下に達したときに残数検出スイッチが作動してモータに対する電源供給を停止する構成である。
【０００３】
特許文献１に記載の打込み工具では、マガジン内の釘を打込み動作線上へ送り出す釘送り部材（プッシャ）が所定位置に達したときに、当該釘送り部材に連動して動作するレバーを介して残数検出スイッチを作動させる構成としている。従って、径の細い釘に適用した場合、釘送り部材の一回の送出ピッチも釘径に応じて小さくなるため、残数検出スイッチの切替え動作のタイミングが外乱の影響を受けやすい。すなわち、残数検出スイッチが一旦検知信号を出力する検出状態に切替わった後で検知信号を出力しない非検出状態に再び切替ってしまうという誤作動の可能性がある。
【先行技術文献】
【特許文献】
【０００４】
【特許文献１】特開２０１０−５７１４号公報
【発明の概要】
【発明が解決しようとする課題】
【０００５】
本発明は、マガジン内の止具の残数検知に関する誤作動を防止できるように改良された打込み工具を提供することをその目的とする。
【課題を解決するための手段】
【０００６】
上記課題を達成するため、本発明の好ましい形態によれば、直線状に動作して被加工材に対する止具の打込み作業を行う打込み部材と、多数の止具を収容するとともに、当該止具を打込み部材の動作線上へ１本ずつ供給するマガジンと、を有する打込み工具が構成される。なお、本発明における「打込み工具」は、典型的には、釘打機ないしタッカーがこれに該当し、「止具」としては、先端を尖らせた直線棒状のものであって、頭部に笠を有するもの、あるいは有しないもの、更にはＵ字状のステープル等を、広く包含する。
【０００７】
本発明の好ましい形態によれば、特徴的構成として、打込み工具の作動を許容する作動位置と、作動を規制する規制位置との間で切替え可能とされるとともに、常時に作動位置側から規制位置側へと付勢された打込み工具作動制御部材と、打込み工具作動制御部材に係合可能に構成され、打込み工具作動制御部材に係合して当該打込み工具作動制御部材を作動位置に保持する保持位置と、係合を解除して当該打込み工具作動制御部材の保持を解放する保持解放位置との間で切替え可能とされた保持部材と、を有する。そして保持部材は、マガジンにおける止具の残数に応じて保持位置と保持解放位置との間で切替えられ、当該保持部材の保持解放位置への切替えに伴い打込み工具作動制御部材が作動位置から規制位置へと切替えられることを特徴としている。なお、本発明における「付勢」とは、打込み工具作動制御部材が規制位置に切替わるように当該打込み工具作動制御部材に付勢力を加える態様がこれに該当し、付勢力を加える手段としては、典型的にはバネあるいはゴム等の弾性部材が用いられる。また、「止具の残数に応じて」とは、典型的には止具の残数が零を含む所定の設定値に達したときがこれに該当する。
【０００８】
本発明によれば、保持部材は、マガジンにおける止具の残数に応じて保持位置と保持解放位置との間で切替えられ、そして当該保持解放位置への切替えによって打込み工具作動制御部材の保持が解放される構成としている。このため、常時に規制位置側へと付勢されている打込み工具作動制御部材は、保持部材による保持が解放されると、規制位置に切替わるとともに当該規制位置に維持される。すなわち、本発明によれば、止具の残数が所定の設定値に達すると、打込み部材の作動を規制するとともに、一旦規制状態に切替わると、その状態を維持することができる。このため、誤動作が生じない。
【０００９】
本発明の更なる形態によれば、打込み工具作動制御部材を規制位置から作動位置へと復帰させるべく動作可能なカム部材を有し、当該カム部材が動作することで打込み工具作動制御部材が作動位置に復帰される構成とした。なお、本発明における「カム部材を動作させる」態様としては、作業者がカム操作用の操作部材を手動操作してカム部材を動作させる態様、あるいはマガジンに止具を装填（補充）する作業に関係してカム部材が動作される態様のいずれも好適に包含する。
本発明によれば、カム部材を作動させて打込み工具作動制御部材を初期位置としての作動位置へと復帰することにより、打込み工具の作動を可能とする。
【００１０】
本発明の更なる形態によれば、カム部材による打込み工具作動制御部材の規制位置から作動位置への復帰動作は、マガジンに対する止具の補充動作に連動して行われる構成としている。なお、本発明における「止具の補充動作」とは、典型的にはマガジンの内部に止具を補充するべく、マガジン本体に対してスライドドアを開放する動作がこれに該当する。
本発明によれば、工具作動制御部材の規制位置から作動位置への復帰を止具の補充動作に連動して行うことができるので、復帰操作を別途に行う必要がなく合理的である。
【発明の効果】
【００１１】
本発明によれば、マガジン内の止具の残数検知に関する誤作動を防止できるように改良された打込み工具が提供されることとなった。
【図面の簡単な説明】
【００１２】
【図１】本実施の形態に係る釘打機の全体構成を示す右側面図である。
【図２】釘打機の左側面図である。
【図３】釘打機の斜視図である。
【図４】空打ち防止機構を示す部分図である。
【図５】図３のＡ部拡大図である。
【図６】図３のＢ部拡大図である。
【図７】図４のＣ部拡大図である。
【図８】空打ち防止機構の動作態様を示す図であり、マガジンに釘が残っている状態であり、（Ａ）は空打ち防止機構の全体を示し、（Ｂ）は一部を拡大して示し、（Ｃ）は各部材を抽出して示す。
【図９】空打ち防止機構の動作態様を示す図であり、釘が減少してスライドプレートにプッシャが接触した状態であり、（Ａ）は空打ち防止機構の全体を示し、（Ｂ）は一部を拡大して示し、（Ｃ）は各部材を抽出して示す。
【図１０】空打ち防止機構の動作態様を示す図であり、釘残数が所定数に達した状態（空打ち防止作動開始）状態であり、（Ａ）は空打ち防止機構の全体を示し、（Ｂ）は一部を拡大して示し、（Ｃ）は各部材を抽出して示す。
【図１１】空打ち防止機構の動作態様を示す図であり、空打ち防止作動完了状態であり、（Ａ）は空打ち防止機構の全体を示し、（Ｂ）は一部を拡大して示し、（Ｃ）は各部材を抽出して示す。
【図１２】空打ち防止機構の動作態様を示す図であり、初期位置への復帰開始（リターンプレート移動開始）状態であり、（Ａ）は空打ち防止機構の全体を示し、（Ｂ）は一部を拡大して示し、（Ｃ）は各部材を抽出して示す。
【図１３】空打ち防止機構の動作態様を示す図であり、リターンプレートの移動完了状態であり、（Ａ）は空打ち防止機構の全体を示し、（Ｂ）は一部を拡大して示し、（Ｃ）は各部材を抽出して示す。
【図１４】空打ち防止機構の動作態様を示す図であり、初期位置復帰完了状態であり、（Ａ）は空打ち防止機構の全体を示し、（Ｂ）は一部を拡大して示し、（Ｃ）は各部材を抽出して示す。
【発明を実施するための最良の形態】
【００１３】
以下、本発明の実施形態につき、図１〜図１４を参照しつつ詳細に説明する。本実施の形態は、打込み工具の一例として充電式釘打機を用いて説明する。釘打機１００は、図１〜図３に示すように、概括的に見て、釘打機１００の外殻を形成する工具本体としての本体部１０１と、作業者が握る略棒状のグリップ部１０３と、被加工材に打ち込まれる止具としての多数の釘Ｎを収容（装填）するマガジン１０５とを主体として構成される。グリップ部１０３は、本体部１０１の側部から当該本体部１０１の長軸方向（図１の左右方向）と交差する側方（図１の下方）に向って突き出る状態で一体に設けられている。グリップ部１０３の突出側端部（図１の下端）には、駆動モータの電源となる充電式のバッテリパック１１０が装着されている。
【００１４】
なお、図１には釘打機１００の右向き状態、すなわち本体部１０１の先端部が右側の被加工材（便宜上図示を省略する）に向けられた状態が示される。このため、図１において右向き方向が釘の打込み（発射）方向（長軸方向）であり、ドライバ（便宜上図示を省略するによる釘の打込み方向となる。ドライバは長尺状の棒状部材からなり、本体部１０１の長軸方向に直線状に移動し、ドライバガイド１１５の打込み孔内を前方に移動して釘を打込む打込み部材として機能する。ドライバは、本発明における「打込み部材」に対応する。なお、説明の便宜上、本体部１０１の長軸方向の先端側（図１の右側）を前、その反対側を後といい、また本体部１０１を概ね水平とした図１に示す状態において、グリップ部１０３の延出方向を下方、その反対側を上方という。
【００１５】
本体部１０１の先端部（図１において右方）には、ドライバの打込み動作線上において釘Ｎの射出口を構成するドライバガイド１１５が配置されている。マガジン１０５は、本体部１０１の先端側において、グリップ部１０３と概ね並行に配置され、本体部１０１に取付けられている。マガジン１０５内には、釘Ｎを供給方向（図１において上方）に押す釘送り部材としてのプッシャ１２５が備えられ、ドライバが釘打ち動作を実行する毎に、プッシャ１２５が１回の釘送り動作を行い、これによりドライバガイド１１５の打込み孔に向けて打込み方向と交差する下方から釘Ｎを１本ずつ供給するよう構成されている。
【００１６】
本体部１０１は、概ね筒状に形成された前後方向に延在する本体ハウジング１０７と、当該本体ハウジング１０７の先端側から下方へと延在されるとともに、駆動モータを収容するモータハウジング１０９を主体として側面視で概ねＬ形（アングル）に形成されている。モータハウジング１０９は、本体ハウジング１０７の先端側においてマガジン１０５に近接して配置されるとともに、本体ハウジング１０７に接合されている。本体部１０１内には、ドライバを駆動するためのドライバ駆動機構（便宜上図示を省略する）が収容されている。ドライバは、駆動モータで駆動されるドライバ駆動機構によって直線状に動作し、ドライバガイド１１５の打込み孔に待機保持されている釘Ｎを打撃して被加工材に打込まれる。なお、駆動モータは、ドライバガイド１１５に隣接して設けられるコンタクトアーム（便宜上図示を省略する）を被加工材に押付けた状態でグリップ部１０３に配置されたトリガ１０３ａが一回引き操作されたとき、あるいはトリガ１０３ａを引き操作した状態でコンタクトアームを被加工材に押付けたときに通電駆動され、これによってドライバによる釘Ｎの打込み動作が一回行われる構成とされる。ドライバを打込むドライバ駆動機構については、従来周知の技術であり、かつ本発明には直接関係しないため、その説明を省略する。
【００１７】
マガジン１０５は、接着剤等で相互に結合された多数の釘Ｎを収容する概ね箱状に形成されたマガジン本体１２１と、スライドドア１２３（図２参照）と、当該マガジン本体１２１内に収容された釘Ｎをドライバガイド１１５の打込み孔に１本ずつ供給するプッシャ１２５とを主体として構成される。スライドドア１２３は、マガジン本体１２１に釘Ｎの供給方向（釘打込み方向と直交する上下方向）に摺動自在に取付けられており、釘装填のためにマガジン本体１２１を開放する開放位置（マガジン本体１２１に対し下方へ相対移動させた位置）と閉止する閉止位置（マガジン本体１２１に対し上方へ相対移動させた位置）との間で摺動され、閉止位置では、ドアロック１２７によってマガジン本体１２１にロックされる構成とされる。
【００１８】
次にマガジン１０５内の釘Ｎの残数が所定数に達したときに、駆動モータへの通電を規制（遮断）し、釘打機１００の釘打ち動作を防止するための空打ち防止機構１３０につき、主に図４〜図７を参照しつつ説明する。空打ち防止機構１３０は、プッシャ１２５の移動方向と同方向（上方）へ移動可能とされたスライドプレート１３１と、スライドプレート１３１の移動方向と直交する方向、すなわち本体部１０１の長軸方向（前後方向）に移動可能とされたスイッチブロック１３５と、当該スイッチブロック１３５によってオン、オフが制御される電気スイッチ１３９と、電気スイッチ１３９のオフ状態をオン状態に復帰させるリターンプレート１４１とを主体として構成される。上記の空打ち防止機構構成部材のうち、スライドプレート１３１、スイッチブロック１３５及びリターンプレート１４１は、マガジン本体１２１に組み付けられ、電気スイッチ１３９については、モータハウジング１０９に取付けられている。
【００１９】
スライドプレート１３１は、釘Ｎの残数が所定の本数に達したことを検知する検知部材として備えられる。スライドプレート１３１は、上下方向に延在する長尺状部材であり、延在方向の一端（下端部）には下方が開口されて上方へと直線状に延在する縦長の溝部１３２（図４、図７参照）を有し、延在方向他端部（上端部）には延在方向と交差する方向に突出する受動部１３１ａを有する。スライドプレート１３１は、付勢部材としての第１バネ１３３によって常時に下向きに付勢されており、当該第１バネ１３３の付勢力によって下方位置に置かれた場合に、スライドプレート１３１の溝部１３２がスイッチブロック１３５に設けられたピン状の係合子１３５ａと上方から係合（拘束）し、これによって当該スイッチブロック１３５を電気スイッチ１３９から離間した位置、すなわち電気スイッチ１３９をオフ状態とする位置に保持する。スライドプレート１３１の溝部１３２にスイッチブロック１３５の係合子１３５ａが係合し、電気スイッチ１３９がオフとされた状態が初期状態として定められる。なお、係合子１３５ａは、スイッチブロック１３５の側面から左右方向に概ね水平状に突設されている。第１バネ１３３は、コイルバネであり、マガジン本体１２１の上部側内壁面とスライドプレート１３１の上端面との間に弾発状に介在され、スライドプレート１３１に下方への付勢力を作用する。
【００２０】
スライドプレート１３１は、釘Ｎの残数が減少したとき、受動部１３１ａがプッシャ１２５に設けられた作動突部１２５ａと接触し、その後プッシャ１２５が釘送りのために上方へ移動されると、当該作動突部１２５ａによって上方へ押し上げられる構成とされる。作動突部１２５ａは、釘送り方向と交差する方向に突出状に設けられ、上下方向において受動部１３１ａと対向状に配置されている。釘Ｎの残数が所定数に達したとき、スライドプレート１３１が予め設定された所定の上端位置に到達し、このとき溝部１３２による係合子１３５ａの係合が解除されるように構成されている。スライドプレート１３１は、本発明における「保持部材」に対応し、スライドプレート１３１の溝部１３２がスイッチブロック１３５の係合子１３５ａと係合する下方位置、すなわち初期位置が、本発明における「保持位置」に対応し、係合子１３５ａの係合を解除する上端位置が、本発明における「保持解放位置」に対応する。
【００２１】
スイッチブロック１３５は、釘Ｎの残数が所定数に達したときに、駆動モータの駆動規制を制御する制御部材として備えられている。前後方向に移動自在とされたスイッチブロック１３５は、釘Ｎの残数が所定数に達するまでの間、係合子１３５ａのスライドプレート１３１の溝部１３２による係合状態が維持され、電気スイッチ１３９から離間された前方位置に保持されている。一方、スイッチブロック１３５は、付勢部材としての第２バネ１３７によって常時に電気スイッチ１３９に近接する方向（後方）へと付勢されている。このため、スイッチブロック１３５は、スライドプレート１３１が上方へと移動され、係合子１３５ａが当該スライドプレート１３１の溝部１３２による係合（拘束）を解除される（溝部１３２の後壁１３２ａから外れる）と、第２バネ１３７の付勢力によって後方へと移動され、電気スイッチ１３９の作動子１３９ａを押圧して当該電気スイッチ１３９をオフ状態からオン状態に切替える。なお、溝部１３２の後壁１３２ａは、図７に示すように、前壁１３２ｂよりも短く設定されている。スイッチブロック１３５は、本発明における「打込み工具作動制御部材」に対応し、スイッチブロック１３５が電気スイッチ１３９から離間してオフ状態とする前方位置、すなわち初期位置が、本発明における「打込み工具の作動を許容する作動位置」に対応し、電気スイッチ１３９に近接してオン状態とする後方位置が、本発明における「作動を規制する規制位置」に対応する。第２バネ１３７は、コイルバネであり、マガジン本体１２１とスイッチブロック１３５との間に弾発状に介在され、スイッチブロック１３５に対し後方への付勢力を作用する。
【００２２】
電気スイッチ１３９は、駆動モータに電力を供給する電力供給位置と電力の供給を遮断する電力遮断位置との間で切替可能とされ、本実施の形態では、オフ状態が電力供給位置として定められ、オン状態が電力遮断位置として定められている。電気スイッチ１３９がオン状態に切替られると、当該電気スイッチ１３９の切替信号が駆動モータ制御用のコントローラ（便宜上、図示を省略する）に入力される。コントローラは、電気スイッチ１３９の切替信号が入力されると、前述したコンタクトアームの被加工材に対する押付け動作、及びトリガ１０３ａの引き操作が実行されても、駆動モータの通電駆動を規制し、これによって釘Ｎの空打ちを防止する構成とされる。
【００２３】
リターンプレート１４１は、駆動モータの通電駆動の規制状態、すなわち空打ち防止状態を通電可能状態（初期状態）に復帰させるためのリセット部材として備えられる。リターンプレート１４１は、上下に長い縦長のカムプレートであり、スイッチブロック１３５の側面と左右方向において重なる側面領域を有し、当該側面領域には図７に示すように、係合子１３５ａが挿通する略直角三角形状の係合孔１４３が形成されている。すなわち、リターンプレート１４１の係合孔１４３は、上下方向に直線状に延在する後面１４３ａ、前後方向に水平状に延在する底面１４３ｂ、及び後面１４３ａの上端と底面１４３ｂの後端との間を直線的に延在する傾斜面１４３ｃとを有する。
【００２４】
リターンプレート１４１は、付勢部材としての第３バネ１４５によって常時に下向きに付勢されるとともに、その下面がマガジン１０５のスライドドア１２３に設定されたストッパ１４７の上面に当接され、下方への移動が規制されている。スライドプレート１３１の溝部１３２にスイッチブロック１３５の係合子１３５ａが係合された初期状態では、リターンプレート１４１がストッパ１４７による規制位置に置かれ、係合孔１４３の後面１４３ａと底面１４３ｂとの交差領域（図７の右下隅部）に係合子１３５ａが位置するように定められている。第３バネ１４５は、コイルバネであり、マガジン本体１２１とリターンプレート１４１の上端面との間に弾発状に介在され、リターンプレート１４１に下向きに付勢力を作用する。
【００２５】
そして、スイッチブロック１３５の後方への移動により電気スイッチ１３９をオン状態に切替えられ、空打ち規制状態とされたとき、当該スイッチブロック１３５の係合子１３５ａが、係合孔１４３の傾斜面１４３ｃ、及びスライドプレート１３１の溝部１３２の後壁１３２ａの下面に対してそれぞれ所定の隙間を置いて対向するように設定されている。この対向状態において、スライドドア１２３が開放（下向きにスライド）され、ストッパ１４７による移動規制が解除された場合に、第３バネ１４５の付勢力を受けているリターンプレート１４１が下方へと移動し、これにより係合孔１４３の傾斜面１４３ｃが係合子１３５ａを押圧してスイッチブロック１３５を前方の初期位置へと復帰させるよう構成されている。すなわち、係合孔１４３の傾斜面１４３ｃは、カム面として作動し、カムフォロワーとしての係合子１３５ａを押圧移動させる構成とされる。リターンプレート１４１が、本発明における「カム部材」に対応する。
【００２６】
マガジン本体１２１は、空打ち防止機構１３０を構成する機構構成部材のうちのスライドプレート１３１、スイッチブロック１３５及びリターンプレート１４１を収容し、当該収容されたスライドプレート１３１、スイッチブロック１３５及びリターンプレート１４１がカバー部材１４９によって覆われている（図４参照）。カバー部材１４９は、複数のネジ１５０によってマガジン本体１２１に着脱自在に止着されている。なお、スイッチブロック１３５は、後端部側がマガジン本体１２１から外部に突出されており、当該突出された後端面が電気スイッチ１３９の作動子１３９ａと対向している。また、カバー部材１４９にはスライドドア１２３に設けたドアロック１２７のフック１２７ａが掛止される掛止部１４９ａが設けられている。
【００２７】
本実施形態の空打ち防止機構１３０を備えた釘打機１００は、上記のように構成したものであり、図８〜図１４に空打ち防止機構の動作状態が段階的に示される。図８はマガジン１０５内に所定数の釘Ｎが残っている初期状態を示しており、第１バネ１３３の付勢力を下向きに受けるスライドプレート１３１が下方位置に置かれ、溝部１３２にスイッチブロック１３５の係合子１３５ａが係合されている。この状態では、スイッチブロック１３５が前方位置に保持され、電気スイッチ１３９がオフ状態にあり、釘打機１００の釘打ち動作が許容されている。
【００２８】
釘打機１００による釘打ち作業が遂行されると、釘Ｎをドライバガイド１１５へ供給するべくプッシャ１２５が上方へと直線状に移動する。そして、マガジン本体１２１内の釘Ｎが減少すると、プッシャ１２５の作動突起１２５ａがスライドプレート１３１の受動部１３１ａに当接（接触）し、更に釘Ｎが減少すると、スライドプレート１３１を上方へ直線状に引き上げ始める。この状態が図９に示される。
【００２９】
釘Ｎの残数が所定の本数に達すると、スイッチブロック１３５の係合子１３５ａが上方へと移動されたスライドプレート１３１の溝部１３２の後壁１３２ａから外れ、当該係合子１３５ａの係合が解除される。この状態が図１０に示される。
【００３０】
係合子１３５ａの係合が解除されると、スイッチブロック１３５は、第２バネ１３７の付勢力によって後方へと直線状に移動される。この移動によってスイッチブロック１３５は、その後端部によって電気スイッチ１３９の作動子１３９ａを押圧移動し、当該電気スイッチ１３９をオフ状態からオン状態に切替える。このとき、スイッチブロック１３５の係合子１３５ａは、リターンプレート１４１の係合孔１４３の傾斜面１４３ｃ、及びスライドプレート１３１の溝部１３２の後壁１３２ａの下面に対してそれぞれ所定の隙間を置いて対向する。この状態が図１１に示される。
【００３１】
電気スイッチ１３９がオン状態に切替わると、当該電気スイッチ１３９の切替信号が駆動モータ制御用のコントローラに入力される。コントローラは、電気スイッチ１３９のオン状態への切替り信号が入力されると、駆動モータの通電駆動を規制する。このため、コンタクトアームの被加工材に対する押付け動作、及びトリガ１０３ａの引き操作が実行されても、駆動モータが通電駆動されず、これによって釘Ｎの空打ちが防止される。
【００３２】
マガジン本体１２１内の釘Ｎの残数が所定の本数に達すると、マガジン本体１２１内への釘Ｎの装填作業が遂行される。当該装填作業を行うべく、ドアロック１２７を解除してスライドドア１２３を下方へと引き出し、マガジン本体１２１を開放するが、このとき、当該スライドドア１２３と共にストッパ１４７が下方へと移動されることによって、当該ストッパ１４７によるリターンプレート１４１の移動規制を解除される。このため、リターンプレート１４１は、第３バネ１４５の付勢力によって下方へと移動され、係合孔１４３の傾斜面１４３ｃによってスイッチブロック１３５の係合子１３５ａを押圧する。傾斜面１４３ｃによって係合子１３５を押圧されたスイッチブロック１３５は、第２バネ１３７の付勢力に抗して前方へ直線状に移動される。このとき、スライドプレート１３１は第１バネ１３３の付勢力によって下方へ移動しようとするが、スイッチブロック１３５の移動中においては、係合子１３５ａが溝部１３２の後壁１３２ａの下面に接触した状態が維持され、下方への移動が規制される。この状態が図１２に示される。
【００３３】
リターンプレート１４１の下方への移動が完了することで、係合孔１４３の傾斜面１４３ｃで係合子１３５ａを押圧されたスイッチブロック１３５が初期位置としての前方位置に復帰すると、係合子１３５ａがスライドプレート１３１の溝部１３２の後壁１３２ａの下面を通過すると同時に前壁１３２ｂに当接する。この状態が図１３に示される。
【００３４】
係合子１３５ａによる干渉を回避されたスライドプレート１３１は、第１バネ１３３の付勢力で下方へと押し下げられる。これにより係合子１３５ａが溝部１３２内に係合保持される。この状態が図１４に示される。
【００３５】
その後、マガジン本体１２１内に釘Ｎを装填し、スライドドア１２３を上方へ押し上げて閉じると、ストッパ１４７によってリターンプレート１４１が第３バネ１４５の付勢力に抗して上方へ押し上げられ、図８に示す初期位置へと復帰される。
【００３６】
上述したように、本実施形態の空打ち防止機構１３０においては、釘Ｎの残数が所定数に達したときに、スライドプレート１３１によるスイッチブロック１３５の保持を解除することで、当該スイッチブロック１３５を第２バネ１３４の付勢力によって後方へと移動させて電気スイッチ１３９を作動する（オン状態に切替える）構成としている。このため、後方へと移動されたスイッチブロック１３５は、第２バネ１３４によって当該移動された位置に維持されることになり、誤動作の発生が回避される。すなわち、本実施の形態によれば、空打ち防止機構１３０の精度を向上することができる。
【００３７】
また、本実施の形態によれば、スイッチブロック１３５の釘Ｎの打込み動作を規制する規制位置としての後方位置から釘Ｎの打込み動作を許容する作動位置としての前方位置への復帰につき、リターンプレート１４１のカム面を構成する傾斜面１４３ｃを利用して行う構成としている。これにより、スイッチブロック１３５の後方位置から前方位置への復帰動作を円滑かつ合理的に行なうことができる。
【００３８】
また、本実施の形態によれば、スイッチブロック１３５を後方位置から前方位置へ復帰させるためのリターンプレート１４１につき、マガジン１０５への釘Ｎの装填（補充）作業に連動して作動する構成としている。具体的には、マガジン本体１２１内に釘Ｎを装填するべくスライドドア１２３を開放動作（下方へ下げる）した際に、当該スライドドア１２３の開放動作に連動してリターンプレート１４１が作動する構成としている。このため、釘Ｎが装填されない限り空打ち防止機構１３０の空打ち防止状態を維持することができるとともに、スイッチブロック１３５を復帰させるための操作を別途に行う必要がなく合理的である。
【００３９】
なお、本実施の形態では、スイッチブロック１３５を作動位置としての初期位置に復帰させるリターンプレート１４１がスライドドア１２３の開放動作に連動して作動する構成としたが、当該スライドドア１２３の開放動作に連動する構成に変えてマガジン１０５に外部から例えば手動により回動操作可能なレバー部材を設けるとともに、当該レバー部材とリターンプレート１４１とを機械的に連結し、レバー部材を回動操作することでリターンプレート１４１を作動するように構成してもよい。
【００４０】
また、本実施の形態は、打込み工具として釘打機１００を例にして説明したが、釘打機以外のタッカー、ステープラーと呼ばれる打込み工具に適用してもよい。
【００４１】
なお、本発明の趣旨に鑑み、以下の態様を構成することができる。
（態様１）
「直線状に動作して被加工材に対する止具の打込み作業を行う打込み部材と、多数の止具を収容するとともに、当該止具を前記打込み部材の動作線上へ１本ずつ供給するマガジンと、を有する打込み工具であって、
前記打込み工具の作動を許容する作動位置と、作動を規制する規制位置との間で切替え可能とされるとともに、常時に作動位置側から規制位置側へと付勢された打込み工具作動制御部材と、
前記打込み工具作動制御部材に係合可能に構成され、前記打込み工具作動制御部材に係合して当該打込み工具作動制御部材を作動位置に保持する保持位置と、前記係合を解除して当該打込み工具作動制御部材の保持を解放する保持解放位置との間で切替え可能とされた保持部材と、
を有し、
前記保持部材は、前記マガジンにおける前記止具の残数に応じて前記保持位置から保持解放位置へと切替えられ、当該保持部材の前記保持解放位置への切替えに伴い前記打込み工具作動制御部材が前記作動位置から規制位置へと切替えられ、これにより前記打込み工具の作動規制状態を維持できるようにしたことを特徴とする打込み工具。
【００４２】
（態様２）
「請求項１〜３のいずれか１つに記載の打込み工具であって、
前記打込み部材を駆動するモータと、当該モータに電力を供給する電力供給位置と電力の供給を遮断する電力遮断位置との間で切替可能とされた電気スイッチと、を有し、
前記打込み工具作動制御部材は、前記規制位置に置かれた場合に前記電気スイッチを電力遮断位置へ切替えることを特徴とする打込み工具。」
【００４３】
（態様３）
「請求項１〜３のいずれか１つに記載の打込み工具であって、
前記打込み工具作動制御部材及び前記保持部材は、前記マガジン内に収容され、
前記マガジンは、収容された前記打込み工具作動制御部材及び前記保持部材を覆うカバー部材を着脱自在に備えていることを特徴とする打込み工具。」
【００４４】
（態様４）
「請求項１〜３のいずれか１つに記載の打込み工具であって、
前記打込み工具作動制御部材は、作動位置と規制位置間の切替え動作が直線動作として定められていることを特徴とする打込み工具。」
【００４５】
（態様５）
「態様４に記載の打込み工具であって、
前記保持部材は、保持位置と保持解放位置間の切替え動作が直線動作として定められ、当該保持部材の切替え動作と、前記打込み工具作動制御部材の切替え動作が互いに交差していることを特徴とする打ち込み工具。」
【符号の説明】
【００４６】
１００  釘打機（打込み工具）
１０１  本体部
１０３  グリップ部
１０３ａ  トリガ
１０５  マガジン
１０７  本体ハウジング
１０９  モータハウジング
１１０  バッテリパック
１１５  ドライバガイド
１２１  マガジン本体
１２３  スライドドア
１２５  プッシャ
１２５ａ  作動突起
１２７  ドアロック
１２７ａ  フック
１３０  空打ち防止機構
１３１  スライドプレート（保持部材）
１３１ａ  受動部
１３２  溝部
１３２ａ  後壁
１３２ｂ  前壁
１３３  第１バネ（付勢部材）
１３５  スイッチブロック（打込み工具作動制御部材）
１３５ａ  係合子
１３７  第２バネ（付勢部材）
１３９  電気スイッチ
１３９ａ  作動子
１４１  リターンプレート（カム）
１４３  係合孔
１４３ａ  後面
１４３ｂ  底面
１４３ｃ  傾斜面（カム面）
１４５  第３バネ（付勢部材）
１４７  ストッパ
１４９  カバー部材
１４９ａ  掛止部
１５０  ネジ
【図１】
0005548100.tif 000002
【図２】
0005548100.tif 000003
【図３】
0005548100.tif 000004
【図４】
0005548100.tif 000005
【図５】
0005548100.tif 000006
【図６】
0005548100.tif 000007
【図７】
0005548100.tif 000008
【図８】
0005548100.tif 000009
【図９】
0005548100.tif 000010
【図１０】
0005548100.tif 000011
【図１１】
0005548100.tif 000012
【図１２】
0005548100.tif 000013
【図１３】
0005548100.tif 000014
【図１４】
0005548100.tif 000015